(57)【要約】【課題】光源ランプの上下の温度差を低減し、光源ランプの長寿命化を図ることが可能なプロジェクタを提供する。【解決手段】筐体２内にランプユニット３０が装着された状態で、操作つまみ４３を操作して、排気ファン４１がランプユニット３０の上側の開口部３５に重なるように冷却部４０を回動させると、吸気ダクト４２は下側の開口部３６に重なるようになっている。この状態では、光源ランプ３１の上側の空間が、送風路３７及び排気ファン４１を通して外部と連通し、光源ランプ３１の下側の空間が、送風路３８及び吸気ダクト４２を通して外部と連通する。一方、排気ファン４１を下側の開口部３６に重ねると、吸気ダクト４２は上側の開口部３５と重なり、この状態では、光源ランプ３１の上側の空間が、送風路３７及び吸気ダクト４２を通して外部と連通し、光源ランプ３１の下側の空間が、送風路３８及び排気ファン４１を通して外部と連通する。【選択図】図７
2007256596.tif 000002
【特許請求の範囲】
【請求項１】
光束を射出する光源ランプを備えた光源装置と、前記光源装置から射出された光束を画
像情報に応じて変調して光学像を形成する光変調装置と、前記光学像を拡大投射する投射
光学装置とを備え、通常の姿勢で設置された通常状態、及び上下反転させた姿勢で設置さ
れた反転状態の双方で前記光学像を投射可能なプロジェクタであって、
前記光源装置の内部の空気を吸い出して前記光源装置の外部に排出する排気装置、及び
前記光源装置の内部に前記光源装置の外部の空気を取り入れるための吸気ダクトを有し、
前記光源ランプの前記通常状態における上側の空間が前記排気装置を通して前記外部に連
通するとともに、前記光源ランプの前記通常状態における下側の空間が前記吸気ダクトを
通して前記外部に連通する第１の通気状態と、前記光源ランプの前記上側の空間が前記吸
気ダクトを通して前記外部に連通するとともに、前記光源ランプの前記下側の空間が前記
排気装置を通して前記外部に連通する第２の通気状態とを切り替え可能な冷却部を備えた
ことを特徴とするプロジェクタ。
【請求項２】
請求項１に記載のプロジェクタであって、
前記光源ランプの前記上側の空間を、前記排気装置又は前記吸気ダクトを通して前記外
部と連通させる第１の送風路と、
前記光源ランプの前記下側の空間を、前記排気装置又は前記吸気ダクトを通して前記外
部と連通させる第２の送風路と、
をさらに備え、前記冷却部は、前記排気装置及び前記吸気ダクトを一体的に具備するとと
もに、装置本体を収容する筐体に対して回動可能に備えられており、当該冷却部を回動す
ることによって、前記排気装置が前記第１の送風路の開口部に重なるとともに、前記吸気
ダクトが前記第２の送風路の開口部に重なる前記第１の通気状態と、前記排気装置が前記
第２の送風路の開口部に重なるとともに、前記吸気ダクトが前記第１の送風路の開口部に
重なる前記第２の通気状態とを切り替え可能であることを特徴とするプロジェクタ。
【請求項３】
請求項１又は２に記載のプロジェクタであって、前記排気装置から排出される空気が、
前記吸気ダクトに吸入されるのを規制する循環規制部をさらに備えたことを特徴とするプ
ロジェクタ。
【請求項４】
請求項１〜３のいずれか１項に記載のプロジェクタであって、
当該プロジェクタの設置状態を検知する検知部と、
前記検知部の検知結果に基づいて、前記設置状態が前記通常状態である場合には、前記
冷却部を前記第１の通気状態とし、前記設置状態が前記反転状態である場合には、前記冷
却部を前記第２の通気状態とする切替部と、
をさらに備えたことを特徴とするプロジェクタ。
【発明の詳細な説明】
【技術分野】
【０００１】
本発明は、光源装置から射出された光束を変調して光学像を形成するプロジェクタに関
する。
【背景技術】
【０００２】
プロジェクタに用いられる光源装置が、適正な輝度特性やスペクトル特性を発揮するた
めには、光源装置が備える光源ランプ（発光管）の温度を所定の範囲内（例えば、８００
〜１１００℃）に維持する必要がある。このため、点灯に伴う光源ランプの温度上昇を抑
制するために、送風機構等を備えた冷却装置が用いられている。また、光源ランプは、そ
の下部（鉛直方向下側の部位）よりも上部（鉛直方向上側の部位）の温度上昇が著しいた
め、光源ランプの上下で温度差が生じやすい。この温度差は、ランプ寿命を低減させる原
因になってしまうため、光源ランプを冷却する際には、上部ほど効率的に冷却し、上下の
温度差をなくす（例えば、１００℃以下にする）ことが望ましい。
【０００３】
また、多くのプロジェクタは、通常の姿勢で机上等に載置する通常状態以外に、天地を
反転させた姿勢で天井等に設置する天吊り状態（反転状態）で用いることが可能になって
いる。天吊り状態で利用する際には、通常状態と上下関係が逆転するため、この場合には
通常状態で鉛直方向下側だった部位の温度が高くなる。このため、姿勢（設置状態）に応
じた冷却を行うプロジェクタが望まれており、特許文献１では、その設置状態に拘わらず
、常に鉛直方向下向きの気流（下降気流）を形成して、光源ランプの鉛直方向上側の部位
を優先的に冷却するプロジェクタが提案されている。
【０００４】
【特許文献１】特開２００５−１０５０５号公報
【発明の開示】
【発明が解決しようとする課題】
【０００５】
しかしながら、下降気流によって光源ランプの上部を冷却しようとしても、気流が光源
ランプの下部に回り込む等の理由により、下部が必要以上に冷却されてしまうことがあり
、光源ランプの上下の温度差の低減には限界があった。
【０００６】
本発明は上記問題に鑑みてなされたものであり、その目的は、光源ランプの上下の温度
差を低減し、光源ランプの長寿命化を図ることが可能なプロジェクタを提供することにあ
る。
【課題を解決するための手段】
【０００７】
本発明のプロジェクタは、光束を射出する光源ランプを備えた光源装置と、前記光源装
置から射出された光束を画像情報に応じて変調して光学像を形成する光変調装置と、前記
光学像を拡大投射する投射光学装置とを備え、通常の姿勢で設置された通常状態、及び上
下反転させた姿勢で設置された反転状態の双方で前記光学像を投射可能なプロジェクタで
あって、前記光源装置の内部の空気を吸い出して前記光源装置の外部に排出する排気装置
、及び前記光源装置の内部に前記光源装置の外部の空気を取り入れるための吸気ダクトを
有し、前記光源ランプの前記通常状態における上側の空間が前記排気装置を通して前記外
部に連通するとともに、前記光源ランプの前記通常状態における下側の空間が前記吸気ダ
クトを通して前記外部に連通する第１の通気状態と、前記光源ランプの前記上側の空間が
前記吸気ダクトを通して前記外部に連通するとともに、前記光源ランプの前記下側の空間
が前記排気装置を通して前記外部に連通する第２の通気状態とを切り替え可能な冷却部を
備えたことを特徴とする。
【０００８】
このプロジェクタによれば、冷却部が、光源ランプの上側から空気を吸い出す状態と、
光源ランプの下側から空気を吸い出す状態とを切り替え可能に備えられている。光源ラン
プは、空気が吸い出される側の部位が効率的に冷却されることから、プロジェクタの姿勢
（設置状態）に応じて冷却部の通気状態を切り替えることにより、常に光源ランプの鉛直
方向上側を効率的に冷却することが可能となる。この結果、光源ランプの上下の温度差を
低減し、光源ランプの長寿命化を図ることが可能となる。
【０００９】
このプロジェクタにおいて、前記光源ランプの前記上側の空間を、前記排気装置又は前
記吸気ダクトを通して前記外部と連通させる第１の送風路と、前記光源ランプの前記下側
の空間を、前記排気装置又は前記吸気ダクトを通して前記外部と連通させる第２の送風路
とをさらに備え、前記冷却部は、前記排気装置及び前記吸気ダクトを一体的に具備すると
ともに、装置本体を収容する筐体に対して回動可能に備えられており、当該冷却部を回動
することによって、前記排気装置が前記第１の送風路の開口部に重なるとともに、前記吸
気ダクトが前記第２の送風路の開口部に重なる前記第１の通気状態と、前記排気装置が前
記第２の送風路の開口部に重なるとともに、前記吸気ダクトが前記第１の送風路の開口部
に重なる前記第２の通気状態とを切り替え可能であることが望ましい。
【００１０】
このプロジェクタによれば、冷却部を回動させて第１の通気状態と第２の通気状態とを
切り替えるため、通気状態の切り替えを容易に行うことが可能となる。
【００１１】
このプロジェクタにおいて、前記排気装置から排出される空気が、前記吸気ダクトに吸
入されるのを規制する循環規制部をさらに備えることが望ましい。
【００１２】
このプロジェクタによれば、循環規制部を備えているため、排気装置によって排出され
た空気が吸気ダクトから吸入されることによる冷却効率の低減を抑制することが可能とな
る。
【００１３】
このプロジェクタにおいて、当該プロジェクタの設置状態を検知する検知部と、前記検
知部の検知結果に基づいて、前記設置状態が前記通常状態である場合には、前記冷却部を
前記第１の通気状態とし、前記設置状態が前記反転状態である場合には、前記冷却部を前
記第２の通気状態とする切替部とをさらに備えることが望ましい。
【００１４】
このプロジェクタによれば、プロジェクタの設置状態を検知して、この検知結果に応じ
て通気状態を切り替えるため、ユーザが切り替え操作を行う必要がなくなり、利便性が向
上する。
【発明を実施するための最良の形態】
【００１５】
（第１実施形態）
以下、本発明の第１実施形態に係るプロジェクタについて、図面を参照して説明する。
図１及び図２は、本実施形態のプロジェクタを示す斜視図である。
プロジェクタ１は、光源から射出された光束を画像情報に応じて変調して光学像を形成
し、該光学像をスクリーン等の投射面上に拡大投射する光学機器である。
図１に示すように、プロジェクタ１は、装置本体が筐体２で囲まれた構成を有しており
、筐体２の前面２ｆには、外部のスクリーン等に画像（光学像）を投射する投射光学装置
としての投射レンズ１６０が露出している。また、筐体２の上面２ｔには、操作パネル２
１が設けられている。操作パネル２１は、電源のオン・オフを行うための電源キーや、メ
ニュー画像を合成表示するためのメニューキー、入力ソースを切り替えるためのソースキ
ー等、複数のキーを備えており、ユーザは、操作パネル２１上の各キーを操作することに
より、プロジェクタ１に対して各種指示を行うことができる。
【００１６】
図２に示すように、筐体２の底面２ｂには、その前方側の左右両側に前方脚部３ａ、後
方側の略中央に後方脚部３ｂがそれぞれ備えられており、プロジェクタ１を通常の姿勢で
机上等に載置する通常状態では、プロジェクタ１は、これら３つの脚部３ａ，３ｂで支持
される。また、筐体２の底面２ｂには、複数のねじ穴４が設けられており、プロジェクタ
１を天井等に設置する際に用いられる取り付け部材（天吊金具）を固定することが可能に
なっている。この天吊金具を用いることにより、プロジェクタ１を、その天地を反転させ
た反転状態（天吊り状態）で天井に固定することができる。
【００１７】
さらに、筐体２の底面２ｂには、ランプカバー５が備えられている。ランプカバー５は
、略長方形形状のカバー部材であり、筐体２内に装着される光源装置としてのランプユニ
ット３０（図３参照）を保護している。ランプユニット３０は、筐体２に対して着脱可能
になっており、ランプカバー５を開放させることにより、寿命に達したランプユニット３
０を交換することができる。
【００１８】
筐体２の背面２ｒには、外部の画像供給装置から画像情報としての画像データが入力さ
れる接続端子６や電源が入力される電源端子７が配設されている。また、筐体２の背面２
ｒで、筐体２内に装着されたランプユニット３０に隣接する位置には、ランプユニット３
０を冷却するための冷却部４０が備えられている。
【００１９】
図３は、プロジェクタ１の回路構成を説明するためのブロック図である。
図３に示すように、プロジェクタ１は、上述した接続端子６や操作パネル２１、冷却部
４０等に加えて、画像投射部１０、制御部２０、画像データ処理部２２、ライトバルブ駆
動部２３、ランプ駆動部２４、ファン駆動部２５等を備えている。
【００２０】
まず、画像投射部１０について説明する。
画像投射部１０は、上述したランプユニット３０や投射レンズ１６０の他に、光変調装
置としての３つの液晶ライトバルブ１４０Ｒ，１４０Ｇ，１４０Ｂ等によって構成されて
いる。
図４は、画像投射部１０の構成をより詳細に示す構成図であり、ランプユニット３０か
ら射出された光がスクリーンＳＣに至るまでの光路を示している。
図４に示すように、画像投射部１０は、照明光学系１１０と、色光分離光学系１２０と
、リレー光学系１３０と、液晶ライトバルブ１４０Ｒ，１４０Ｇ，１４０Ｂと、クロスダ
イクロイックプリズム１５０と、上述した投射レンズ１６０とを備えている。
【００２１】
照明光学系１１０は、放電型光源ランプを備えたランプユニット３０と、第１のレンズ
アレイ１１２と、第２のレンズアレイ１１３と、偏光変換素子１１４と、重畳レンズ１１
５とを備えている。ランプユニット３０から射出された光束は、微小なレンズ１１２ａが
マトリクス状に配置された第１のレンズアレイ１１２によって多数の微小な光束に分割さ
れる。第２のレンズアレイ１１３及び重畳レンズ１１５は、分割された光束のそれぞれが
、照明対象である３つの液晶ライトバルブ１４０Ｒ，１４０Ｇ，１４０Ｂの全体を照射す
るように備えられている。このため、各光束が液晶ライトバルブ１４０Ｒ，１４０Ｇ，１
４０Ｂで重畳され、液晶ライトバルブ１４０Ｒ，１４０Ｇ，１４０Ｂの全体がほぼ均一に
照明される。
【００２２】
偏光変換素子１１４は、ランプユニット３０からの光を液晶ライトバルブ１４０Ｒ，１
４０Ｇ，１４０Ｂで効率よく利用可能とするため、特定の偏光方向を有する偏光光に揃え
る機能を有している。照明光学系１１０を射出した偏光光は、色光分離光学系１２０に入
射する。
【００２３】
色光分離光学系１２０は、第１のダイクロイックミラー１２１と、第１の反射ミラー１
２２と、第２のダイクロイックミラー１２３とを備えており、照明光学系１１０から射出
された光を、波長域の異なる３色の光に分離する。第１のダイクロイックミラー１２１は
、略赤色の光を透過させるとともに、透過する光よりも短波長の光を反射する。第１のダ
イクロイックミラー１２１を透過した赤色光Ｒは、第１の反射ミラー１２２で反射されて
赤色光用の液晶ライトバルブ１４０Ｒを照明する。
【００２４】
第１のダイクロイックミラー１２１で反射された光のうち、緑色光Ｇは、第２のダイク
ロイックミラー１２３によって反射されて緑色光用の液晶ライトバルブ１４０Ｇを照明す
る。また、青色光Ｂは、第２のダイクロイックミラー１２３を透過し、リレー光学系１３
０を通過して、青色光用の液晶ライトバルブ１４０Ｂを照明する。
【００２５】
なお、青色光Ｂの経路は、他の色光の経路に比べて長くなってしまうことから、光束の
発散によって液晶ライトバルブ１４０Ｂへの照明効率が低下するのを抑制するために、青
色光Ｂの経路には、リレー光学系１３０が設けられている。リレー光学系１３０は、入射
側レンズ１３１と、第２の反射ミラー１３２と、リレーレンズ１３３と、第３の反射ミラ
ー１３４と、射出側レンズ１３５とを備えている。色光分離光学系１２０から射出した青
色光Ｂは、入射側レンズ１３１によってリレーレンズ１３３の近傍で収束し、射出側レン
ズ１３５に向けて発散する。
【００２６】
液晶ライトバルブ１４０Ｒ，１４０Ｇ，１４０Ｂのそれぞれは、一対の透明基板間に液
晶が封入された液晶パネル１４１を備えており、液晶パネル１４１の内面には、液晶に対
して微小領域（画素）毎に駆動電圧を印加可能な透明電極（画素電極）がマトリクス状に
形成されている。また、液晶パネル１４１の入射側表面及び射出側表面には、それぞれ入
射側偏光板１４２及び射出側偏光板１４３が備えられている。入射側偏光板１４２及び射
出側偏光板１４３は、それぞれ特定の偏光方向の偏光光のみを透過可能であり、入射側偏
光板１４２は、偏光変換素子１１４によって揃えられた偏光方向の偏光光を透過可能とな
っている。このため、各液晶ライトバルブ１４０Ｒ，１４０Ｇ，１４０Ｂに入射する各色
光の大部分は入射側偏光板１４２を透過して、液晶パネル１４１に入射する。
【００２７】
ここで、液晶パネル１４１の各画素に、画像データに応じた駆動電圧が印加されると、
液晶パネル１４１に入射した光は、駆動電圧に応じて変調され、画素毎に異なる偏光方向
を有した偏光光となる。この偏光光のうち、射出側偏光板１４３を透過可能な偏光成分の
みが液晶ライトバルブ１４０Ｒ，１４０Ｇ，１４０Ｂから射出される。つまり、液晶ライ
トバルブ１４０Ｒ，１４０Ｇ，１４０Ｂが、画像データに応じて、画素毎に異なる透過率
で入射光を透過させることによって、階調を有する光学像が色光毎に形成される。液晶ラ
イトバルブ１４０Ｒ，１４０Ｇ，１４０Ｂから射出した各色光からなる光学像は、クロス
ダイクロイックプリズム１５０に入射する。
【００２８】
クロスダイクロイックプリズム１５０は、各液晶ライトバルブ１４０Ｒ，１４０Ｇ，１
４０Ｂから射出された各色の光学像を、画素毎に合成してカラー画像を表す光学像を形成
する。クロスダイクロイックプリズム１５０によって合成された光学像は、投射レンズ１
６０によってスクリーンＳＣに拡大投射され、画像として表示される。
【００２９】
図３に戻って、制御部２０は、ＣＰＵ（Central Processing Unit）、フラッシュＲＯ
Ｍ（Read Only Memory）等のＲＯＭ、各種データの一時記憶等に用いられるＲＡＭ（Rand
om Access Memory）等を備え、ＣＰＵがＲＯＭに記憶されている制御プログラムに従って
動作することにより、プロジェクタ１の動作を統括制御する。
【００３０】
操作パネル２１は、上述したようにプロジェクタ１に対して各種指示を行うためのもの
であり、ユーザが操作パネル２１の各キーを操作すると、操作パネル２１は、ユーザの操
作内容に応じた操作信号を制御部２０に出力する。なお、操作パネル２１に代えて、或い
は操作パネル２１とともに、遠隔操作が可能なリモコン（図示せず）を備えた構成として
もよい。この場合、リモコンは、ユーザの操作内容に応じた赤外線の操作信号を発し、図
示しないリモコン信号受信部がこれを受信して制御部２０に伝達する。
【００３１】
画像データ処理部２２は、制御部２０の指示に基づき、外部の画像供給装置（図示せず
）から接続端子６に入力された画像データに対して、データ形式の変換や、解像度を液晶
ライトバルブ１４０Ｒ，１４０Ｇ，１４０Ｂの解像度（画素数）に合わせる解像度変換、
輝度調整、コントラスト調整、シャープネス調整等の各種画質調整、或いは、メニューや
メッセージ等のＯＳＤ（オンスクリーンディスプレイ）画像を合成する処理等を施し、処
理後の画像データをライトバルブ駆動部２３に出力する。ライトバルブ駆動部２３は、こ
の画像データに基づいて液晶ライトバルブ１４０Ｒ，１４０Ｇ，１４０Ｂを駆動する。
【００３２】
ランプ駆動部２４は、制御部２０の指示に基づいて、ランプユニット３０に電源の供給
や停止を行うことにより、ランプユニット３０の点灯や消灯を行う。また、ファン駆動部
２５は、制御部２０の指示に基づいて、冷却部４０が備える排気ファン４１を駆動するこ
とにより、ランプユニット３０を冷却する。
【００３３】
ここで、ランプユニット３０及び冷却部４０について、図面を参照して説明する。
図５は、ランプユニット３０の概略構成を示す側断面図であり、図６は、筐体２に備え
られた冷却部４０の概略構成を示す側断面図である。また、図７及び図８は、ランプユニ
ット３０を筐体２内に装着した状態を示す側断面図である。なお、図５〜図８におけるラ
ンプユニット３０や筐体２等は、いずれもプロジェクタ１が通常状態で設置された場合の
姿勢で示されている。
【００３４】
図５に示すように、ランプユニット３０は、超高圧水銀ランプやメタルハライドランプ
等の放電型光源ランプからなる光源ランプ（発光管）３１を有しており、その周囲に、リ
フレクタ３２、前面ガラス３３、ハウジング部材３４等を備えている。リフレクタ３２は
、回転楕円体状、或いは回転放物面体状に形成された凹状の反射面３２ａを備えており、
反射面３２ａに囲まれるように備えられた光源ランプ３１の光を、前面側（開口端３２ｂ
側）に向けて反射する。
【００３５】
ハウジング部材３４は、ランプユニット３０の外壁をなす箱状体であり、光源ランプ３
１が取り付けられた状態のリフレクタ３２を支持している。ハウジング部材３４の前面側
（光の射出側）には、光源ランプ３１やリフレクタ３２から射出される光を透過させるた
めの開口部３４ａが形成されており、この開口部３４ａは、光源ランプ３１を保護するた
めに前面ガラス３３で塞がれている。
【００３６】
ハウジング部材３４の背面側（光の射出側の反対側）には、ランプユニット３０の外部
との間で空気の吸気や排気を行うための開口部３５，３６が上下に並んで形成されている
。上側の開口部３５は、リフレクタ３２の上方に形成された送風路３７（第１の送風路）
を経て、リフレクタ３２の開口端３２ｂの上方に形成された送風口３７ａに通じており、
下側の開口部３６は、リフレクタ３２の下方に形成された送風路３８（第２の送風路）を
経て、リフレクタ３２の開口端３２ｂの下方に形成された送風口３８ａに通じている。
【００３７】
図６に示すように、筐体２の背面２ｒには、冷却部４０が配設されており、筐体２の内
部で冷却部４０の前方には、ランプユニット３０を収容するためのランプ収容部８が設け
られている。冷却部４０は、略円盤状の形状を有しており（図２参照）、筐体２の背面２
ｒに形成された円状の開口部９に対して、回動可能に嵌合されている。冷却部４０には、
その中心軸上に、冷却部４０を回動させるための操作つまみ４３が形成されているととも
に、ランプユニット３０内の空気を排出させる排気装置としての排気ファン４１と、外気
をランプユニット３０内に吸入するための吸気ダクト４２とが、中心軸を挟んで一体的に
並設されている。
【００３８】
図７に示すように、ランプ収容部８（図６参照）にランプユニット３０が装着された状
態で、操作つまみ４３を操作して、排気ファン４１がランプユニット３０の上側の開口部
３５に重なるように冷却部４０を回動させると、吸気ダクト４２は、下側の開口部３６に
重なるようになっている。この状態では、光源ランプ３１の上側の空間が、送風路３７及
び排気ファン４１を通して外部と連通し、光源ランプ３１の下側の空間が、送風路３８及
び吸気ダクト４２を通して外部と連通する。このため、この状態で排気ファン４１を駆動
すると、ランプユニット３０の外部の空気は、吸気ダクト４２からランプユニット３０の
内部に吸入され、送風路３８を経由してリフレクタ３２の開口端３２ｂの下側に至り、そ
の一部が、反射面３２ａに沿って移動して光源ランプ３１を冷却する。さらに、光源ラン
プ３１を冷却した空気は、反射面３２ａに沿って移動して開口端３２ｂの上側に至り、送
風路３７を経由して排気ファン４１から外部に排出される。
【００３９】
同様に、図８に示すように、操作つまみ４３を操作して、排気ファン４１が下側の開口
部３６に重なるように冷却部４０を回動させると、吸気ダクト４２は、上側の開口部３５
と重なり、この状態では、光源ランプ３１の上側の空間が、送風路３７及び吸気ダクト４
２を通して外部と連通し、光源ランプ３１の下側の空間が、送風路３８及び排気ファン４
１を通して外部と連通する。このため、この状態で排気ファン４１を駆動すると、ランプ
ユニット３０の外部の空気は、吸気ダクト４２からランプユニット３０の内部に吸入され
、送風路３７を経由してリフレクタ３２の開口端３２ｂの上側に至り、その一部が、反射
面３２ａに沿って移動して光源ランプ３１を冷却する。さらに、光源ランプ３１を冷却し
た空気は、反射面３２ａに沿って移動して開口端３２ｂの下側に至り、送風路３８を経由
して排気ファン４１から外部に排出される。
【００４０】
なお、図７に示すように、排気ファン４１と開口部３５とが重なるとともに、吸気ダク
ト４２と開口部３６とが重なる状態（光源ランプ３１の通常状態における上側の空間から
空気を吸い出す状態）が、本発明の第１の通気状態に相当し、図８に示すように、排気フ
ァン４１と開口部３６とが重なるとともに、吸気ダクト４２と開口部３５が重なる状態（
光源ランプ３１の通常状態における下側の空間から空気を吸い出す状態）が、本発明の第
２の通気状態に相当する。つまり、本実施形態では、操作つまみ４３を操作して冷却部４
０を回動させることによって、前記第１の通気状態と前記第２の通気状態との切り替えを
行うことができるようになっている。
【００４１】
ここで、点灯に伴って高温になりやすい光源ランプ３１の上部を、その下部よりも効率
的に冷却するためには、光源ランプ３１に空気を吹き付けるよりも、熱せられた空気を光
源ランプ３１の上方から吸い出すほうが光源ランプ３１の上部を効果的に冷却できる。光
源ランプ３１の上方に空気を吹き付けても、吹き付けた空気が光源ランプ３１の下方にも
回り込み、光源ランプ３１の下部まで冷却されてしまう。これに対し、熱せられた空気を
光源ランプ３１の上方から吸い出すことにより、光源ランプ３１の上部に下方からの空気
が流れて、光源ランプ３１の上部が冷却される。下方からの空気は、リフレクタ３２内の
空間をリフレクタ３２の曲面（反射面３２ａ）に沿って上方へ流れていくことから、光源
ランプ３１の下部には直接当たりにくくなるため、光源ランプ３１の下部が上部ほど冷却
されることはない。このため、通常状態で使用する場合には、冷却部４０を回動させて、
排気ファン４１とランプユニット３０の開口部３５とが重なる第１の通気状態（図７参照
）とし、光源ランプ３１の上側の空間から空気を吸い出すことにより、光源ランプ３１の
上部を効率的に冷却することが可能となる。また、プロジェクタ１の上下を反転させた反
転状態（天吊り状態）で使用する場合には、排気ファン４１と開口部３６とが重なる第２
の通気状態（図８参照）とし、光源ランプ３１の反転状態における上側の空間（通常状態
において下側となる空間）から空気を吸い出すことにより、光源ランプ３１の反転状態に
おける上部を効率的に冷却することが可能となる。
【００４２】
なお、図６〜図８に示すように、冷却部４０の排気ファン４１及び吸気ダクト４２には
、複数のガイド板４１ａ，４２ａが備えられており、ランプユニット３０内の空気は、ガ
イド板４１ａ間のスリットを通って排出され、外部の空気は、ガイド板４２ａ間のスリッ
トを通って吸入されるようになっている。排気ファン４１のガイド板４１ａは、半径方向
の外側、即ち吸気ダクト４２の位置とは反対の方向に空気を排出するように形成されてお
り、吸気ダクト４２のガイド板４２ａは、同じく半径方向の外側、即ち排気ファン４１の
位置とは反対の方向から空気を吸入するように形成されている。つまり、ガイド板４１ａ
，４２ａによって、排気ファン４１から排出された空気がそのまま吸気ダクト４２に吸入
されるのを規制することになるため、ガイド板４１ａ，４２ａは、本発明の循環規制部に
相当する。
【００４３】
以上説明したように、本実施形態のプロジェクタ１によれば、以下の効果を得ることが
できる。
（１）本実施形態のプロジェクタ１によれば、冷却部４０が、光源ランプ３１の上側か
ら空気を吸い出す第１の通気状態と、光源ランプ３１の下側から空気を吸い出す第２の通
気状態とを切り替え可能に備えられている。このため、プロジェクタ１の姿勢（設置状態
）に応じて通気状態を切り替えることにより、常に光源ランプ３１の鉛直方向上側を効率
的に冷却することが可能となる。この結果、光源ランプ３１の上下の温度差を低減し、光
源ランプ３１の長寿命化を図ることが可能となる。
【００４４】
（２）本実施形態のプロジェクタ１によれば、冷却部４０を回動させて第１の通気状態
と第２の通気状態とを切り替えるため、通気状態の切り替えを容易に行うことが可能とな
る。
【００４５】
（３）本実施形態のプロジェクタ１によれば、排気ファン４１及び吸気ダクト４２が、
通気方向を規制するためのガイド板４１ａ，４２ａを備えているため、排気ファン４１に
よって排出された空気が吸気ダクト４２に吸入されることによる冷却効率の低減を抑制す
ることが可能となる。
【００４６】
（第２実施形態）
以下、本発明の第２実施形態に係るプロジェクタについて、図面を参照して説明する。
図９は、本実施形態のプロジェクタの回路構成を説明するためのブロック図である。
図９に示すように、本実施形態のプロジェクタ１は、前記第１実施形態のプロジェクタ
１の構成要素に加えて、プロジェクタ１の姿勢（設置状態）を検知する検知部としての重
力センサ２６と、冷却部４０を回動させるための回動駆動部２７とを備えている。
【００４７】
重力センサ２６は、プロジェクタ１の設置状態を検知して検知結果を制御部２０に出力
する。制御部２０は、重力センサ２６による検知結果に基づき、プロジェクタ１が通常状
態にあるか反転状態にあるかを判断し、通常状態である場合には、回動駆動部２７に指示
をして、排気ファン４１と開口部３５とが重なるとともに、吸気ダクト４２と開口部３６
とが重なる状態（第１の通気状態）となるように、冷却部４０を回動させる。また、プロ
ジェクタ１が反転状態である場合には、回動駆動部２７に指示をして、排気ファン４１と
開口部３６とが重なるとともに、吸気ダクト４２と開口部３５とが重なる状態（第２の通
気状態）となるように、冷却部４０を回動させる。なお、制御部２０及び回動駆動部２７
は、重力センサ２６による検知結果に基づいて、通気状態を切り替えることから、本発明
の切替部に相当する。
【００４８】
以上説明したように、本実施形態のプロジェクタ１によれば、重力センサ２６がプロジ
ェクタの設置状態を検知して、制御部２０及び回動駆動部２７が、この検知結果に応じて
通気状態を切り替えるため、ユーザが冷却部４０の回動操作を行う必要がなくなり、利便
性が向上する。
【００４９】
（変形例）
なお、本発明の実施形態は、以下のように変更してもよい。
前記第１実施形態では、冷却用の空気を通す開口部３５，３６を、上下に並べて配置し
ているが、送風口３７ａ，３８ａさえ光源ランプ３１の上方及び下方に備えられていれば
、開口部３５，３６の配置は前記に限られず、例えば、左右に並ぶように配置してもよい
。
【００５０】
また、図１０に示すように、冷却部４０を挟んでランプユニット３０の開口部３５，３
６と対向する位置に、それぞれ送風管４４，４５を備えるようにすれば、吸気位置と排気
位置とをより隔てることが可能となり、図示するように、吸気と排気とを筐体２の異なる
面から行うことも可能となる。この場合には、送風管４４，４５が本発明の循環規制部に
相当する。なお、循環規制部としては、本図に示した送風管４４，４５、或いは図６に示
したガイド板４１ａ，４２ａ等によって通気方向（排気方向や吸気方向）を規制するもの
に限られず、排気側と吸気側とで長さの異なる送風管を用いることにより、排気位置と吸
気位置とを隔てるようにしてもよい。また、冷却部４０の回動操作は、操作つまみ４３に
よるものに限られず、例えば、図１０に示すように、冷却部４０の側面４０ａの一部を筐
体２から露出させ、当該側面によって回動させるようにしてもよい。
【００５１】
前記第１実施形態では、筐体２の外部の空気をランプユニット３０内に吸入し、冷却後
の空気を筐体２の外部に排出しているが、筐体２内の他の構成要素、例えば、液晶ライト
バルブ１４０Ｒ，１４０Ｇ，１４０Ｂや偏光変換素子１１４、電源装置（図示せず）等の
冷却に用いられた空気を吸気ダクト４２から吸入するようにしてもよい。
【００５２】
前記第１及び第２実施形態では、光入射面と光射出面とが異なる３つの透過型の液晶ラ
イトバルブ１４０Ｒ，１４０Ｇ，１４０Ｂを用いて光源光の変調を行っているが、光入射
面と光射出面とが同一となる反射型の液晶ライトバルブを用いることも可能である。また
、１つの液晶ライトバルブのみを用いたプロジェクタ、２つの液晶ライトバルブを用いた
プロジェクタ、或いは４つ以上の液晶ライトバルブを用いたプロジェクタにも適用可能で
ある。また、入射した光の出射方向を、画素としてのマイクロミラー毎に制御することに
より、光源から出射した光を変調する微小ミラーアレイデバイス等の液晶以外の光変調装
置を用いることもできる。
【００５３】
本発明を実施するための最良の構成等は、以上の記載で開示されているが、本発明は、
これに限定されるものではない。即ち、本発明は、主に特定の実施形態に関して特に図示
され、且つ説明されているが、本発明の技術的思想及び目的の範囲から逸脱することなく
、以上述べた実施形態に対し、形状、材質、数量、その他の詳細な構成において、当業者
が様々な変形を加えることができるものである。
従って、上記に開示した形状、材質等を限定した記載は、本発明の理解を容易にするた
めに例示的に記載したものであり、本発明を限定するものではないから、それらの形状、
材質等の限定の一部、若しくは全部の限定を外した部材の名称での記載は、本発明に含ま
れるものである。
【図面の簡単な説明】
【００５４】
【図１】第１実施形態のプロジェクタを示す斜視図。
【図２】第１実施形態のプロジェクタを示す斜視図。
【図３】第１実施形態のプロジェクタの回路構成を説明するためのブロック図。
【図４】画像投射部の構成をより詳細に示す構成図。
【図５】ランプユニットの概略構成を示す側断面図。
【図６】筐体に備えられた冷却部の概略構成を示す側断面図。
【図７】ランプユニットを筐体内に装着した状態を示す側断面図。
【図８】ランプユニットを筐体内に装着した状態を示す側断面図。
【図９】第２実施形態のプロジェクタの回路構成を説明するためのブロック図。
【図１０】変形例に係るプロジェクタの筐体内にランプユニットを装着した状態を示す側断面図。
【符号の説明】
【００５５】
１…プロジェクタ、２…筐体、１０…画像投射部、２０…制御部、２１…操作パネル、
２２…画像データ処理部、２３…ライトバルブ駆動部、２４…ランプ駆動部、２５…ファ
ン駆動部、３０…ランプユニット、３１…光源ランプ、３２…リフレクタ、３３…前面ガ
ラス、３４…ハウジング部材、３５，３６…開口部、３７，３８…送風路、３７ａ，３８
ａ…送風口、４０…冷却部、４１…排気ファン、４２…吸気ダクト、４１ａ，４２ａ…ガ
イド板、１４０Ｒ，１４０Ｇ，１４０Ｂ…液晶ライトバルブ、１６０…投射レンズ。
【図１】
2007256596.tif 000003
【図２】
2007256596.tif 000004
【図３】
2007256596.tif 000005
【図４】
2007256596.tif 000006
【図５】
2007256596.tif 000007
【図６】
2007256596.tif 000008
【図７】
2007256596.tif 000009
【図８】
2007256596.tif 000010
【図９】
2007256596.tif 000011
【図１０】
2007256596.tif 000012